(57)【要約】【課題】電池駆動式人体検知装置より動作不能電圧の低い送信機を使用した場合でも電池駆動式人体検知装置の電池交換時期を知らせる。【解決手段】電池駆動式人体検知装置は、人体検知部と第１の低電圧検知部と電圧変換部とを備え、電波信号を送信する送信機を内蔵できる構成となっており、前記送信機は、第２の低電圧検知部を備え、供給された電圧が第２の低電圧検知レベルより下がった場合、第２の低電圧検知信号を電波信号に乗せて送信する機能を持っている。また、前記電池駆動式人体検知装置は、前記電圧変換部から前記送信機に電圧を供給し、前記電池の電圧が第１の低電圧検知レベルより下がった場合、第１の低電圧検知部から第１の低電圧検知信号が前記電圧変換部に出力され、前記電圧変換部から前記送信機に供給する電圧を徐々に下げていく。【選択図】図２
2019174241.tif 000002
【特許請求の範囲】
【請求項１】
電池を電源とする電池駆動式人体検知装置において、人体検知部と第１の低電圧検知部と電圧変換部とを備え、電波信号を送信する送信機を内蔵できる構成となっており、
前記送信機は、第２の低電圧検知部を備え、供給された電圧が第２の低電圧検知レベルより下がった場合、第２の低電圧検知信号を電波信号に乗せて送信する機能があり、
前記電圧変換部から前記送信機に電圧を供給し、
前記電池の電圧が第１の低電圧検知レベルより下がった場合、前記第１の低電圧検知部から第１の低電圧検知信号が前記電圧変換部に出力され、前記電圧変換部から前記送信機に供給する電圧を徐々に下げていくことを特徴とする電池駆動式人体検知装置。
【請求項２】
前記第１の低電圧検知信号が前記電圧変換部に出力されたときの前記電圧変換部から前記送信機に供給する電圧を、予め設定した時間ａごとに予め設定した電圧ｂだけ下げていく請求項１に記載の電池駆動式人体検知装置。
【請求項３】
前記電池変換部から前記送信機に供給する電圧は、前記電池の電圧より低く変換された電圧とする請求項１または請求項２に記載の電池駆動式人体検知装置。
【請求項４】
前記人体検知部は、前記送信機へ検知信号を出力し、
前記送信機は、入力された前記検知信号を電波信号に乗せて送信する機能がある請求項１から３のいずれか１項に記載の電池駆動式人体検知装置。
【発明の詳細な説明】
【技術分野】
【０００１】
本発明は、電池を電源とした人間の動きを検知して警報信号を発する電池駆動式人体検知装置に関するものであり、特に電池電圧の低下の検知の技術に関するものである。
【背景技術】
【０００２】
従来から、赤外線パルス変調光の遮断により人体を検知する電池駆動式人体検知装置や、人体が放射する赤外線エネルギーを集束しその変化分をもとに人体の移動を検知する電池駆動式人体検知装置などがあり、それらの電池駆動式人体検知装置には、人体を検知した信号を送信するための送信機を内蔵できる物がある。電池駆動式人体検知装置と内蔵される送信機は同一電池から電源電圧が供給される構造となっている（特許文献１、特許文献２参照）。
【０００３】
送信機は、電池駆動式人体検知装置から出力された人体検知信号を電波信号に乗せて送信する。また、送信機には、電池交換時期を知らせるために、電源電圧が下がり動作不能電圧になる前に、予め設定した低電圧検知レベルで電圧低下を検知してその信号を電波に乗せて送信する機能もある。
【先行技術文献】
【特許文献】
【０００４】
【特許文献１】特開平０４−１４８４９９号公報
【特許文献２】特開平０９−１４７２５３号公報
【発明の概要】
【発明が解決しようとする課題】
【０００５】
しかしながら、電池駆動式人体検知装置の動作不能電圧が送信機の動作不能電圧より低い場合は、電池駆動式人体検知装置が動作不能になるよりも早く送信機から低電圧検知の信号が送信され、電池交換時期を知ることができるが、電池駆動式人体検知装置の動作不能電圧が送信機の動作不能電圧より高い場合は、先に電池駆動式人体検知装置が動作不能となり、電池交換時期を知ることができず、侵入者を検知できないこと（即ち失報）になる。
【０００６】
電池駆動式人体検知装置より動作不能電圧の低い送信機が使用できないため、失報にならないように、送信機の動作不能電圧を調査する必要がある。
しかし、メーカーや機種により、動作不能電圧が異なるため、ユーザーが不特定多数の送信機の低電圧検知レベルを調査した上で、使用できる送信機を選択する必要があるが、不特定多数の送信機は、各メーカーで独自に開発されたもので低電圧検知レベルはスペック表にも載っていないため、送信機を実際に動作させて低電圧検知レベルを確認することなどが必要であり容易ではなかった。
【課題を解決するための手段】
【０００７】
上記課題を解決するために、電池駆動式人体検知装置は、人体検知部と第１の低電圧検知部と電圧変換部とを備え、電波信号を送信する送信機を内蔵できる構成となっている。
前記送信機は、第２の低電圧検知部を備え、供給された電圧が第２の低電圧検知レベルより下がった場合、第２の低電圧検知信号を電波信号に乗せて送信する機能を持っている。
また、前記電池駆動式人体検知装置は、前記電圧変換部から前記送信機に電圧を供給し、前記電池の電圧が第１の低電圧検知レベルより下がった場合、第１の低電圧検知部から第１の低電圧検知信号が前記電圧変換部に出力され、前記電圧変換部から前記送信機に供給する電圧を徐々に下げていく。
【発明の効果】
【０００８】
本発明の電池駆動式人体検知装置では、電池の電圧が下がってきた場合、第１の低電圧検知部より第１の低電圧検知信号が電圧変換部に出力され、電圧変換部から送信機に供給する電圧を徐々に下げていき、送信機の第２の低電圧検知レベルに達した時点で、送信機が第２の低電圧検知信号を電波信号に乗せて送信できるため、使用する送信機の低電圧検知レベルの調査が不要となり、ユーザーの特別な作業が不要となるとともに、電池駆動式人体検知装置より動作不能電圧が低い送信機が使用できるため、使用できる送信機の種類が増える。
また、電池駆動式人体検知装置が動作不能となる前に、送信機から第２の低電圧検知信号を電波信号に乗せて送信できるため、失報になることはない。
【図面の簡単な説明】
【０００９】
【図１】本発明の電池駆動式人体検知装置の一実施形態を示した図である。
【図２】本発明の電池駆動式人体検知装置を備えたワイヤレスシステムの一実施例を示した構成図である。
【図３】電池１１の電圧Ｖａと電圧Ｖｂと第２の低電圧検知信号Ｌ２が送信部２２から送信されるタイミングを示した図である。
【発明を実施するための形態】
【００１０】
図１は本発明の電池駆動式人体検知装置の一実施形態を示した図である。本発明の電池駆動式人体検知装置１は、カバーユニット１５、センサーユニット１６、ベースユニット１７で構成され、ベースユニット１７には、電池１１と送信機２が内蔵できる構造になっており、主に防犯用として使用される。センサーユニット１６とベースユニット１７はコネクタ１９を介して電気的に接続され、送信機２はコネクタ１８を介して電池駆動式人体検知装置１に電気的に接続される。電池駆動式人体検知装置１を運用時はカバー１５がセンサーユニット１６に装着される。
【００１１】
図２は本発明の電池駆動式人体検知装置を備えたワイヤレスシステムの一実施例を示した構成図である。電池駆動式人体検知装置１は、電池１１を電源とし、電波信号を送信する送信機２を内蔵できる構造になっており、電圧変換部１３から送信機２に電圧Ｖｂを供給し、送信機２を駆動する。
電圧変換部１３から送信機２に供給される電圧Ｖｂは、電池１１の電圧Ｖａと同じでも、送信機２の仕様に合わせて変換した電圧でもよい。
【００１２】
送信機２は、人体検知信号などの信号が入力される接点入力型の送信機であり、入力された信号を電波信号に乗せて送信する。図２の構成では人体検知部１４で人体を検知すると人体検知部１４から人体検知信号Ｓを送信機２へ出力し、送信機２は人体検知信号Ｓを電波信号に乗せて送信する。
【００１３】
また、送信機２は、供給された電圧が第２の低電圧検知レベルＶ２より下がった場合、第２の低電圧検知部２１でこれを検知し、第２の低電圧検知信号Ｌ２を送信部２２から電波信号に乗せて送信する。
第２の低電圧検知レベルＶ２は、送信機２の動作不能電圧より高い値に設定されており、第２の低電圧検知部２１から第２の低電圧検知信号Ｌ２を出力することにより、電池交換の時期を知らせる。
【００１４】
送信機２から送信された電波信号は、受信機３で受信され、受信機３は電波信号の内容に応じて図示しない警報器や通報装置などへ信号を送る。
【００１５】
また、電池１１の電圧Ｖａが第１の低電圧検知レベルＶ１より下がった場合、第１の低電圧検知部１２でこれを検知し、第１の低電圧検知部１２から第１の低電圧検知信号Ｌ１が電圧変換部１３に出力され、電圧変換部１３は第１の低電圧検知信号Ｌ１を受けることにより、電圧変換部１３から送信機２に供給する電圧Ｖｂを徐々に下げていく。
そして、送信機２は、電圧Ｖｂが第２の低電圧検知レベルＶ２より下がったことを第２の低電圧検知部２１で検知すると、第２の低電圧検知信号Ｌ２を電波信号に乗せて送信する。
第１の低電圧検知レベルＶ１は、電池駆動式人体検知装置１の動作不能電圧より高い値に設定されており、第１の低電圧検知部１２から第１の低電圧検知信号Ｌ１を出力することにより、電池交換の時期を知らせる。
【００１６】
また、第１の低電圧検知信号Ｌ１は外部報知部１５へも出力され、外部報知部１５は第１の低電圧検知信号Ｌ１を受けることにより、報知を行う。この報知手段は、ＬＥＤ表示であったり、音出力であったり、外部に分かる方法であればよい。
【００１７】
次に電池１１の電圧Ｖａが第１の低電圧検知レベルＶ１より下がった場合の動作詳細について図３をもとに説明する。図３では電圧Ｖｂが電圧変換部１３において、電池１１の電圧Ｖａより低い電圧に変換された場合としている。
また、第１の低電圧検知部および第２の低電圧検知部がそれぞれ第１の低電圧検知レベルＶ１および第２の低電圧検知レベルＶ２を判定するための、判定時間が存在するが、説明を分かりやすくするために省略してある。
図３（ａ）は電池１１の電圧Ｖａと電圧変換部１３から出力される電圧Ｖｂの時間変化を示し、図３（ｂ）は第２の低電圧検知信号Ｌ２が送信部２２から送信されるタイミングを示す。
【００１８】
電池１１の電圧Ｖａが時間ｔ１で第１の低電圧検知レベルＶ１より下がると、第１の低電圧検知部１２から第１の低電圧検知信号Ｌ１が電圧変換部１３へ出力される。
第１の低電圧検知信号Ｌ１を受けた電圧変換部１３は送信機２へ供給している電圧Ｖｂを予め設定した時間ａごとに予め設定した電圧ｂだけ下げる動作を行う。
電圧Ｖｂが第２の低電圧検知レベルＶ２より下がる時間ｔ２で、第２の低電圧検知部２１が第２の低電圧検知信号Ｌ２を送信部２２へ出力し、送信部２２から第２の低電圧検知信号Ｌ２を乗せた電波信号が送信される。
【００１９】
本発明の一実施形態として、電圧変換部１３から出力される電圧Ｖｂを時間ａごとに電圧ｂだけ下げるようにしたが、一定時間ごとや一定電圧ごとに下げなくてもよく、一定の傾きで下げるなど、徐々に下げる方法もある。
【００２０】
ただし、電圧Ｖｂをある一定の傾きで下げていった場合、第２の低電圧検知部２１の判定時間より早く送信機２の動作不能電圧まで下がり、送信機２が第２の低電圧検知信号Ｌ２を送信できずに動作不能となる可能性があるが、図３のように、時間ａごとに電圧Ｖｂを下げることで、電圧Ｖｂは時間ａの間は一定電圧となるため、第２の低電圧検知部２１の判定時間を保てるようになる。
【００２１】
本発明の電池駆動式人体検知装置では、使用する送信機の低電圧検知レベルの調査が不要となり、ユーザーの特別な作業が不要となるとともに、使用できる送信機の種類が増える。
また、電池駆動式人体検知装置が動作不能となる前に、送信機から第２の低電圧検知信号を電波信号に乗せて送信できるため、失報になることはない。
【００２２】
以上、本発明の実施形態を説明したが、上述の実施形態は例として提示したものであり、発明の範囲は、これに限定するものではなく、その他の様々な形態で実施されることが可能であり、特許請求の範囲に記載された発明の範囲とその均等の範囲に含まれるものである。
【符号の説明】
【００２３】
１・・・電池駆動式人体検知装置
２・・・送信機
３・・・受信機
１１・・・電池
１２・・・第１の低電圧検知部
１３・・・電圧変換部
１４・・・人体検知部
１５・・・外部報知部
２１・・・第２の低電圧検知部
２２・・・送信部
Ｌ１・・・第１の低電圧検知信号
Ｌ２・・・第２の低電圧検知信号
Ｓ・・・人体検知信号
Ｖａ・・・電池１１の電圧
Ｖｂ・・・電圧
Ｖ１・・・第１の低電圧検知レベル
Ｖ２・・・第２の低電圧検知レベル
【図１】
2019174241.tif 000003
【図２】
2019174241.tif 000004
【図３】
2019174241.tif 000005